【手続補正書】
【提出日】平成17年7月12日(2005.7.12)
【手続補正１】
【補正対象書類名】明細書
【補正対象項目名】特許請求の範囲
【補正方法】変更
【補正の内容】
【特許請求の範囲】
【請求項１】  複数の分岐微小流体チャネルに枝分かれするメイン微小流体チャネルを備えた基板と、前記メインの微小流体チャネルを直接に照らす少なくとも一つの放射ビームを備えた放射源とを備え、
前記微小流体チャネルと複数の分岐微小流体チャネルには、適当に配置される小粒子を備えた流体フローが設けられ、
前記放射ビームは、小粒子を光学的にトラップすることなく、小粒子を複数の分岐微小流体チャネルに選択的に運搬する微小流体選別デバイス。
【請求項２】  前記基板には、上面と下面とが設けられており、前記放射ビームは前記上面と下面とを通して、前記メイン微小流体チャネルを照らすことを特徴とする請求項１に記載の微小流体選別デバイス。
【請求項３】  前記基板には、一つ以上の別の面が設けられており、前記放射ビームはその別の面のうちの一つを通して、前記メイン微小流体チャネルを照らすことを特徴とする請求項１に記載の微小流体選別デバイス。
【請求項４】  前記メイン微小流体チャネルを照らす少なくとも一つの放射ビームは、前記基板に関連して移動されることを特徴とする請求項１に記載の微小流体選別デバイス。
【請求項５】  前記放射源は、縦型キャビティ面発光（ＶＣＳＥＬ）レーザービームを備えていることを特徴とする請求項１に記載の微小流体選別デバイス。
【請求項６】  複数のサブ分岐微小流体チャネルに枝分かれする少なくとも二つ以上の分岐微小流体チャネルと、少なくとも一つの分岐チャネルを照らす少なくとも一つの付加放射ビームを備えた付加放射源とを備え、前記付加放射ビームは、小粒子をトラップすることなく、放射ビーム圧力によって前記サブ分岐微小流体チャネルに選択的に運搬することを特徴とする請求項１に記載の微小流体選別デバイス。
【請求項７】  小粒子を含む流体フローを導くためのメイン微小流体チャネルと、
そのメイン微小流体チャネルに含まれる少なくとも一つの分岐接合部と、
複数の分岐微小流体チャネルと、
少なくとも一つの制御装置とを備え、
前記分岐微小流体チャネルは、少なくとも一つの前記分岐接合部に接続されて、少なくとも一部の流体フローを複数の分岐流体フローに分岐させ、その分岐された分岐流体フローがそれぞれ前記分岐微小流体チャネルに流れ込んでおり、
前記制御装置は、前記メイン微小流体チャネルを照らす少なくとも一つの放射ビームを直接に制御し、光学的トラッピングを行うことなく、流体フロー中の小粒子を少なくとも一つの分岐微小流体チャネルに光学的に選別する微小流体選別デバイス。
【請求項８】  前記少なくとも一つの制御装置は、少なくとも二つの分岐微小流体チャネルによって形成される面を垂直に照らす少なくとも一つの放射ビームを直接に制御することを特徴とする請求項７に記載の微小流体選別デバイス。
【請求項９】  前記少なくとも一つの制御装置は、少なくとも二つの分岐微小流体チャネルによって形成される面の内側で少なくとも一つの放射ビームを直接に制御することを特徴とする請求項７に記載の微小流体選別デバイス。
【請求項１０】  更に、前記メイン微小流体チャネルにおいて、前記少なくとも一つの放射ビームが前記メイン微小流体チャネルを横切る位置よりも上流側に、検出機構を設けたことを特徴とする請求項７に記載の微小流体選別デバイス。
【請求項１１】  前記少なくとも一つの制御機構は、前記流体フロー中において選択された小粒子の位置を少なくとも一つの分岐微小流体チャネルに移動させる少なくとも一つの放射ビームを使うように構成されていることを特徴とする請求項７に記載の微小流体選別デバイス。
【請求項１２】  更に、メイン微小流体チャネル中の小粒子を光学的に検出する検出機構を備え、前記少なくとも一つの制御機構は、その検出機構からの検出結果に基づいて、前記メイン微小流体チャネル中の小粒子を選択し、光学的に分別することを特徴とする請求項７に記載の微小流体選別デバイス。
【請求項１３】  流体フロー中の小粒子を光学的に選別する方法であって、
少なくとも二つの枝微小流体チャネルに分岐する少なくとも一つの結合を備えたメイン微小流体チャネルに小粒子を含む流体フローを供給し、
少なくとも一つの放射ビームを用いて、前記メイン微小流体チャネル中の小粒子を光学的に少なくとも二つの枝微小流体チャネルの少なくとも一つに光学トラッピングを用いることなく選別する方法。
【請求項１４】  分岐微小流体チャネル内で粒子を選別する方法であって、以下の各ステップを含む：
分岐微小流体チャネルを有するデバイスを提供するステップであって、前記分岐微小流体チャネルは、単一の微小流体チャネルが複数の分岐チャネルに分岐するところに接合部を含み、
前記分岐微小流体チャネルを通して流体を流すステップであって、前記流体は複数の粒子を含み、そして、
前記単一の微小流体チャネルの一部を放射ビームで照射するステップであって、前記放射ビームは前記複数の粒子を前記複数の分岐チャネルへ選択的に方向付け、前記放射ビームは前記複数の粒子を完全にはトラップしない。
【請求項１５】  請求項１４の方法であって、更に、
前記分岐チャネルのうち少なくとも一本の中に前記粒子を回収するステップを含む。
【請求項１６】  請求項１４の方法であって、
前記複数の分岐チャネルのうち２本が、２つの異なる面内にそれぞれ配置される。
【請求項１７】  請求項１４の方法であって、
前記粒子が細胞である。
【請求項１８】  三次元微小流体デバイス内で粒子を選別する方法であって、以下の各ステップを含む：
第１微小流体チャネルおよび第２微小流体チャネルを有するデバイスを提供するステップであって、前記第１および第２微小流体チャネルは重ね合わさせて配向されて、前記第１および第２微小流体チャネルの交点で接合部を形成し、
前記第１と第２微小流体チャネルを通して流体を流すステップであって、前記第１微小流体チャネルは前記流体内に複数の粒子を含み、そして、
前記接合部を放射ビームで照射することにより、前記第１微小流体チャネルから、前記第２微小流体チャネルへ前記粒子の少なくとも一部を転送する。
【請求項１９】  請求項１８の方法であって、
前記粒子が細胞である。
【請求項２０】  粒子を選別する微小流体選別デバイスであって、以下を備える：
複数の微小流体分岐チャネルへ分岐する主微小流体チャネルを有する基板であって、前記複数の分岐チャネルは前記主微小流体チャネルへ接合部のところで接続され、
前記主微小流体チャネルおよび複数の分岐チャネルに流体フローを導くフロー手段であって、前記主微小流体チャネル内で前記流体フローは前記粒子を含み、そして、
前記主微小流体チャネルの一部に向けられた少なくとも一本の放射ビームを生成する放射源であって、前記放射ビームは、前記複数の微小流体分岐チャネルへ前記粒子を選択的に方向付け、前記放射ビームは前記複数の粒子を完全にはトラップしない。
【請求項２１】  請求項２０の微小流体選別デバイスであって、
前記粒子が細胞である。
【請求項２２】  請求項２０の微小流体選別デバイスであって、
前記放射源はレーザを含み、前記放射ビームがレーザービームである。
【請求項２３】  デバイスであって、以下を備える：
中に粒子を有する入力流体フローを担持する入力流体チャネル、
前記入力流体チャネルに結合して接続して接合部を形成する少なくとも２本の出力流体チャネルであって、それぞれ前記入力の流体フローの一部分を受け取って２つの出力流体フローをそれぞれ生成し、そして、
制御に応じて前記入力流体チャネル内の前記流体フローの一部を照射することにより、前記入力流体フロー内の前記粒子の中から一個の粒子を、前記２本の流体フローの何れか一方へ光学的に押す光ビームを生成するモジュール。
【請求項２４】  請求項２３のデバイスであって、
前記入力流体チャネルから前記２本の出力流体チャネルへ流体を流すフロー発生器を更に備える。
【請求項２５】  請求項２３のデバイスであって、
前記光ビームは、前記粒子を完全にはトラップせずに前記粒子にかかる力を光学的に生起する。
【請求項２６】  請求項２３のデバイスであって、
前記入力流体チャネルは第１平面内にあり、前記２本の出力流体チャネルのうち一本は異なる第２平面内にある。
【請求項２７】  請求項２３のデバイスであって、
前記モジュールは、前記粒子を前記２本の出力チャネルのうち一本へ光で押す前記光ビームを第１方向に生成するよう構成されるとともに、前記モジュールは、第２光ビームを第２方向に生成するよう更に構成されて、前記粒子を前記他の出力流体チャネルへ光学的に押す。